(57)【要約】  自然界の海と隔離して形成された海洋環境下において海洋生態系を再現し、これまでにない水産漁業の産業基盤を構築することが可能な水生生物生産インフラシステム及び水生生物生産方法を提供する。  海水取水口より取水された海水（地下海水、海洋深層水、沿岸の一般海水など）を貯留する取水セル６Ａ〜６Ｃと、水生生物の生育環境を提供する飼育運河２９Ａ〜２９Ｅと、水生生物の生育状況に応じた給餌・捕獲を行う処理セル２６Ａ，２６Ｂ，２７Ａ，２７ａ，２７Ｂ，２７ｂ，２８と、水生生物の種苗を行う複数の環境セル１１を有し、水生生物生産過程である一次生産（基礎生産）、二次生産、三次生産及び四次生産のそれぞれの目的とする産物に合わせて、適切な場所を選択して生産を行い、適切な場所で給餌や捕獲を行う。多数の水生生物が生息して成長できる本来の海洋環境を再現して完成させた空間体を陸上に設置する。
2017199927.tif 000002
【特許請求の範囲】
【請求項１】
海水取水口より取水された海水を貯留する取水セルと、水生生物の生育環境を提供する飼育運河と、水生生物の生育状況に応じた処理を行う処理セルと、を有し、
前記飼育運河及び前記処理セルは、前記取水セルからの海水の受給が可能であり、
前記処理セルと前記取水セル及び前記飼育運河とは、各々の隔絶及び接続が可能であることを特徴とする水生生物生産インフラシステム。
【請求項２】
水生生物の種苗を行う複数の環境セルを有し、
前記環境セルは、前記取水セルからの海水の受給が可能であることを特徴とする請求項１記載の水生生物生産インフラシステム。
【請求項３】
前記飼育運河内に海草類及び／又は海藻類を生育させてなることを特徴とする請求項１又は２記載の水生生物生産インフラシステム。
【請求項４】
前記処理セル内への活餌の供給を可能にする活餌飼育場を有することを特徴とする請求項１から３のいずれか記載の水生生物生産インフラシステム。
【請求項５】
前記処理セルは、水生生物の捕獲を行う捕獲エリアセル及び水生生物の給餌を行う餌場エリアセルを併設し、捕獲エリアセルと餌場エリアセルとは、各々の隔絶及び接続が可能であることを特徴とする請求項１から４のいずれか記載の水生生物生産インフラシステム。
【請求項６】
前記処理セルは、水生生物の給餌を行う餌場セルであることを特徴とする請求項１から４のいずれか記載の水生生物生産インフラシステム。
【請求項７】
前記処理セルは、水生生物の捕獲を行う捕獲セルであることを特徴とする請求項１から４のいずれか記載の水生生物生産インフラシステム。
【請求項８】
前記餌場エリアセル又は前記餌場セルは、セル内の海水及び汚染物の回収を可能にする回収機構を有することを特徴とする請求項５又は６記載の水生生物生産インフラシステム。
【請求項９】
前記飼育運河は、底面及び幅員が連関して増減していることを特徴とする請求項１から８のいずれか記載の水生生物生産インフラシステム。
【請求項１０】
前記飼育運河に集魚光装置を設けてなることを特徴とする請求項１から９のいずれか記載の水生生物生産インフラシステム。
【請求項１１】
前記海水の状態をモニタリングして適正状態に制御可能なコントロールセンターを有することを特徴とする請求項１から１０のいずれか記載の水生生物生産インフラシステム。
【請求項１２】
海水取水口より取水された海水を貯留する取水セルと、水生生物の生育環境を提供する飼育運河と、水生生物の生育状況に応じた処理を行う処理セルと、を有する水生生物生産インフラシステムの水生生物生産方法であって、
前記取水セルからの海水を前記飼育運河及び前記処理セルに供給可能であり、
前記処理セルと前記取水セルとは、ゲートの開閉による隔絶及び接続を可能として処理工程を行い、
前記飼育運河と前記取水セルとは、ゲートの開閉による隔絶及び接続を可能として海水の供給工程を行うことを特徴とする水生生物生産方法。
【請求項１３】
前記水生生物生産インフラシステムは、水生生物の種苗を行う複数の環境セルを有し、
前記環境セルと前記取水セルとは、ゲートの開閉による隔絶及び接続を可能として水生生物の種苗を行う種苗工程を行うことを特徴とする請求項１２記載の水生生物生産方法。
【請求項１４】
前記処理セルは、水生生物の捕獲を行う捕獲エリアセル及び水生生物の給餌を行う餌場エリアセルを併設し、
前記捕獲エリアセルと餌場エリアセルとは、ゲートの開閉による隔絶及び接続を可能でとして、前記捕獲エリアセルにおける捕獲工程及び前記餌場エリアセルにおける給餌工程を行うことを特徴とする請求項１２又は１３記載の水生生物生産方法。
【請求項１５】
前記処理セルは、水生生物の給餌を行う餌場セルであり、
前記餌場エリアセルにおける給餌工程を行うことを特徴とする請求項１２又は１３記載の水生生物生産方法。
【請求項１６】
前記処理セルは、水生生物の捕獲を行う捕獲セルであり、
前記捕獲エリアセルにおける捕獲工程を行うことを特徴とする請求項１２又は１３記載の水生生物生産方法。
【請求項１７】
前記餌場エリアセル又は前記餌場セルは、セル内の海水及び汚染物の回収を可能にする回収機構を有し、
前記回収機構における回収工程を行うことを特徴とする請求項１４又は１５記載の水生生物生産方法。
【請求項１８】
前記ゲートは、海水の流入出が完全に遮断可能な密閉ゲート及び海水の流入出が可能な開放ゲートで構成され、
前記開放ゲートの開閉によって、前記開放ゲートを通過する水生生物の峻別を可能とすることを特徴とする請求項１２から１７のいずれか記載の水生生物生産方法。
【発明の詳細な説明】
【技術分野】
【０００１】
本発明は、多種類の水生生物の最適な種苗及び飼育環境を提供する良質な海洋環境を創出して海洋生態系の持続的保持を可能とする水生生物生産インフラシステム及び水生生物生産方法に関する。
【背景技術】
【０００２】
人類の食環境の基幹は自然界に働きかけて直接に富を取得する農林水産業にあり、農業は土壌改良や品種改良、更には野菜工場や食物工場の技術革新が進み、生産工程の効率化が図られている一方、水産業（漁業）は一部完全養殖の技術が開発されつつあるとはいえ、未だに豊魚・不魚による経済性の変動は避けられず、温暖化ガスに代表される地球環境への悪影響は有害・有毒プランクトンの増加及び大気のＣＯ２濃度の上昇による海洋酸性化をもたらし、それによる甲殻類をはじめとした生物への影響によって資源枯渇の危機に瀕している状況である。【０００３】
このような状況下、２０５０年の世界人口は約９７億人（現在の１．３倍）に達するといわれ、人口問題を抱える発展途上国の多くが海洋に対する食料依存度を高めている。また、日本は一人当たりの年間水産物消費量は世界平均の５倍と極めて大きく、水産物を多用する日本食の世界的な普及と相俟って世界規模で需要が増大している。【０００４】
このため、目的とする生物の幼魚や未成魚を捉え、この飼育のために作った種々の専用設備を利用して水生生物を育てることが行われている。具体的には、浮体付き魚網等によって囲まれた生け簀による海面養殖方法（特開平６−００７０５６号公報等）、陸上に設置した飼育水槽による養殖方法（特開２００８−２８３８９６号公報等）、種苗から育てられた稚魚や稚貝を漁業対象海域の沿岸に放流し、減少傾向にある天然の水産資源を補充する栽培漁業（特開２００７−０８２４６６号公報）などが行われている。例えば、小割式を利用した海面魚類養殖では、クロマグロをはじめとして、チョウザメ、クエ、カワハギ等のこれまで養殖されなかった魚価の高い魚種を養殖することにより、経営改善を目指す動きが強く、高級水産物の養殖割合が高まる傾向にある。【０００５】
しかし、これらの養殖方法では、過剰給餌や過密飼育による沿岸海域の汚染、大量の抗生物質やホルマリン、多種類の治療薬が使用された薬漬けの水産物の生産、という悪影響を誘引し、栽培漁業では、放流した総数に比して漁獲高が圧倒的に少なく歩留りが悪いという結果になっている。また、環境汚染を防止するために法規制を課したり、養殖魚の安全をアピールするために使用する薬物の量を減らしたりしているが、いずれも万全といえる策とはなっていない。さらに、マグロ等の巨大魚を回遊養殖するためには、最低でも直径１００ｍの養殖生け簀が必要とされるが、現実には既存漁場との関係からこのような設置場所は得られ難く、漁業権の関係から一般企業体には事業参画し難い。【０００６】
このような中、特許文献１に水生生物の飼育装置が開示されている。この飼育装置では、水生生物を小分けしあるいは個別に管理の行き届いた飼育を可能にすることで、水生生物間の共食い・個体間闘争や病気の感染等を低減しており、水生生物の飼育生存率を高めるとされている。また、飼育容器ごとの注水及び排水によって飼育環境の洗浄化を図ることができ、飼育容器ごとの注水により多種類の飼育条件を設定することができ、多種類の水生生物を飼育することができるとされている。
【先行技術文献】
【特許文献】
【０００７】
【特許文献１】特開２００９−４４９７９号公報（段落［００２１］、［００３９］、［００４９］）
【発明の概要】
【発明が解決しようとする課題】
【０００８】
しかしながら、特許文献１の飼育装置は、水生生物を小分けにして他種類の水生生物とは個別に管理するという自然界がなす海洋環境とはかけ離れていることから、一過性の飼育システムに過ぎない。水生生物は一つの飼育容器内で飼育されるに過ぎず、個別的に飼育されるものである。また、小分けされていることから、水生生物にストレスを与えてしまう可能性もある。【０００９】
また、世界の漁船漁業による生産量は９，０００万トン前後で頭打ちの状況にある中、水産物の消費量増大を支えているのは養殖業にあることから、水産資源の適切な管理及び利用とともに、養殖業の持続的発展を目指すことが、水産物供給を確保する上でも重要な課題である。【００１０】
また、世界の養殖業の更なる発展と、それによる天然の水産資源への負荷の軽減を図りつつ、環境への負荷を軽減することも重要な課題である。殊に、広大な海洋が持つ環境は全て均一の性質を持つものではなく、同一の緯度・経度においても、上層と下層とで積層状態を成していることから、必ずしも生育のために良い海洋環境となっていないことからも、海洋環境や地形・気象等の影響に左右されない効率的な生産インフラシステムの確立は重要である。【００１１】
そこで、本発明は、自然界の海と隔離して形成された海洋環境下において海洋生態系を再現し、これまでにない水産漁業の産業基盤を構築することが可能な水生生物生産インフラシステム及び水生生物生産方法を提供する。具体的には、広大な海洋が提供する機能を実現し、水生生物生産過程である一次生産（基礎生産）、二次生産、三次生産及び四次生産までの連結した自然本来の食物連鎖を再現利用する水生生物の生産を可能とするインフラストラクチャー（水生生物生産のための産業基盤を提供するシステム構造体）を提供する。
【課題を解決するための手段】
【００１２】
本発明は、上記課題を解決するために、多数の水生生物が生息して成長できる本来の海洋環境を再現して完成させた空間体を提供するものであり、水生生物生産過程である一次生産（基礎生産）、二次生産、三次生産及び四次生産のそれぞれの目的とする産物に合わせて、適切な場所を選択して生産を行い、適切な場所で給餌や捕獲を行う水生生物生産インフラシステム及び水生生物生産方法である。【００１３】
すなわち、水産業を競争力のある事業として投資負担の少ないものとして展開するには、人工的に陸上に海洋環境を再現し、その中で行われる植物プランクトンからの食物連鎖環境をサイクルさせ、水産業の基盤となるインフラを構築する必要がある。このような本発明は、より具体的には、以下のものを提供する。【００１４】
（１）  海水取水口より取水された海水を貯留する取水セルと、水生生物の生育環境を提供する飼育運河と、水生生物の生育状況に応じた処理を行う処理セルと、を有し、前記飼育運河及び前記処理セルは、前記取水セルからの海水の受給が可能であり、前記処理セルと前記取水セル及び前記飼育運河とは、各々の隔絶及び接続が可能であることを特徴とする水生生物生産インフラシステム。【００１５】
本発明によれば、取水セルに貯留する海水（濾過海水）を飼育運河及び処理セルに供給可能であるから、水生生物の生息及び成長に必須な海水を本システム内に取り込みことで自然界の海と隔離しながらも、自然界の海と同様の海洋環境を実現することができる。また、取水セルや飼育運河との隔絶・接続が可能であるから、処理セルの処理内容に応じた本システムの制御により生育する水生生物に悪影響を及ぼさない良好な海洋環境を維持することができる。【００１６】
（２）  水生生物の種苗を行う複数の環境セルを有し、前記環境セルは、前記取水セルからの海水の受給が可能であることを特徴とする水生生物生産インフラシステム。【００１７】
本発明によれば、取水セルから海水の供給を受けた環境セルにおける水生生物の種苗を可能としていることから、沿岸地域の環境を個々に再現した複数の環境セルにおいて種々の水生生物の産卵や稚魚生育を可能としている。【００１８】
（３）  前記飼育運河内に海草類及び／又は海藻類を生育させてなることを特徴とする水生生物生産インフラシステム。【００１９】
本発明によれば、海草類・海藻類の生産を可能にするとともに、本システム内の海水（濾過海水）の浄化にも寄与する海草類・海藻類によって良好な海洋環境を維持することができる。また、海草類・海藻類による光合成の結果プランクトンが生成されるという持続的な海洋生態系の保持を可能としている。【００２０】
（４）  前記処理セル内への活餌の供給を可能にする活餌飼育場を有することを特徴とする水生生物生産インフラシステム。【００２１】
本発明によれば、活餌飼育場からの活餌の供給によって、自然界の水生生物が捕食する餌と同じ餌を与えることができることから、良質な水生生物の生産を可能としている。  【００２２】
（５）  前記処理セルは、水生生物の捕獲を行う捕獲エリアセル及び水生生物の給餌を行う餌場エリアセルを併設し、捕獲エリアセルと餌場エリアセルとは、各々の隔絶及び接続が可能であることを特徴とする水生生物生産インフラシステム。【００２３】
本発明によれば、捕獲エリアセル及び餌場エリアセルを併設して、各々の隔絶及び接続が可能であることから、捕獲エリアセル及び餌場エリアセルの処理内容に応じた本システムの制御により、生育する水生生物に悪影響を及ぼさない良好な海洋環境を維持することができる。【００２４】
（６）  前記処理セルは、水生生物の給餌を行う餌場セルであることを特徴とする水生生物生産インフラシステム。【００２５】
本発明によれば、水生生物の給餌を行う餌場セルに応じた本システムの制御により、生育する水生生物に悪影響を及ぼさない良好な海洋環境を維持することができる。【００２６】
（７）  前記処理セルは、水生生物の捕獲を行う捕獲セルであることを特徴とする水生生物生産インフラシステム。【００２７】
本発明によれば、水生生物の捕獲を行う捕獲セルに応じた本システムの制御により、生育する水生生物に悪影響を及ぼさない良好な海洋環境を維持することができる。【００２８】
（８）  前記餌場エリアセル又は前記餌場セルは、セル内の海水及び汚染物の回収を可能にする回収機構を有することを特徴とする水生生物生産インフラシステム。【００２９】
本発明によれば、餌場エリアセル又は餌場セル内における回収機構（回収槽）により、汚染物の除去を可能とし、生育する水生生物に悪影響を及ぼさない良好な海洋環境を維持することができる。【００３０】
（９）  前記飼育運河は、底面及び幅員が連関して増減していることを特徴とする水生生物生産インフラシステム。【００３１】
本発明によれば、飼育運河の底面及び幅員が連関して増減していることで、増減に応じた水流変化を創出することができ、変化に富んだ海洋環境の実現によりストレスの少ない良質な品質の水生生物を生産することができる。また、適度な流路の変形・水流の変化は、淀みの少ない海水のミキシング効果により、海水水質の極端な偏りを無くすものである。【００３２】
（１０）  前記飼育運河に集魚光装置を設けてなるとを特徴とする水生生物生産インフラシステム。【００３３】
本発明によれば、飼育運河に集魚光装置を設けていることから、集魚光装置を用いて飼育運河内を遊泳する水生生物の誘導・案内を行うことができる。【００３４】
（１１）  前記海水の状態をモニタリングして適正状態に制御可能なコントロールセンターを有することを特徴とする水生生物生産インフラシステム。【００３５】
本発明によれば、本システム内を常に適正状態の海水とすることで、良好な海洋環境を維持することができる。【００３６】
（１２）  海水取水口より取水され調整された海水を貯留する取水セルと、水生生物の生育環境を提供する飼育運河と、水生生物の生育状況に応じた処理を行う処理セルと、を有する水生生物生産インフラシステムの水生生物生産方法であって、前記取水セルからの海水を前記飼育運河及び前記処理セルに供給可能であり、前記処理セルと前記取水セルとは、ゲートの開閉による隔絶及び接続を可能として処理工程を行い、前記飼育運河と前記取水セルとは、ゲートの開閉による隔絶及び接続を可能として海水の供給工程を行うことを特徴とする水生生物生産方法。【００３７】
本発明によれば、取水セルに貯留する海水を飼育運河及び処理セルに供給可能であるから、水生生物の生息及び成長に必須な海水を本システム内に取り込むことで自然界の海と隔離した海洋環境を実現することができる。また、取水セルや飼育運河との隔絶・接続が可能であるから、処理セルの処理内容に応じた本システムの制御により生育する水生生物に悪影響を及ぼさない良好な海洋環境を維持することができる。【００３８】
（１３）  前記水生生物生産インフラシステムは、水生生物の種苗を行う複数の環境セルを有し、前記環境セルと前記取水セルとは、ゲートの開閉による隔絶及び接続を可能として水生生物の種苗を行う種苗工程を行うことを特徴とする水生生物生産方法。【００３９】
本発明によれば、取水セルから海水の供給を受けた環境セルにおける水生生物の種苗を可能としていることから、沿岸地域の環境を個々に再現した複数の環境セルにおいて種々の水生生物の産卵や稚魚生育を可能としている。【００４０】
（１４）  前記処理セルは、水生生物の捕獲を行う捕獲エリアセル及び水生生物の給餌を行う餌場エリアセルを併設し、前記捕獲エリアセルと餌場エリアセルとは、ゲートの開閉による隔絶及び接続を可能でとして、前記捕獲エリアセルにおける捕獲工程及び前記餌場エリアセルにおける給餌工程を行うことを特徴とする水生生物生産方法。【００４１】
本発明によれば、捕獲エリアセル及び餌場エリアセルを併設して、各々の隔絶及び接続が可能であることから、捕獲エリアセル及び餌場エリアセルの処理内容に応じた本システムの制御により、生育する水生生物に悪影響を及ぼさない良好な海洋環境を維持することができる。【００４２】
（１５）  前記処理セルは、水生生物の給餌を行う餌場セルであり、前記餌場エリアセルにおける給餌工程を行うことを特徴とする水生生物生産方法。【００４３】
本発明によれば、水生生物の給餌を行う餌場セルに応じた本システムの制御により、生育する水生生物に悪影響を及ぼさない良好な海洋環境を維持することができる。【００４４】
（１６）  前記処理セルは、水生生物の捕獲を行う捕獲セルであり、前記捕獲エリアセルにおける捕獲工程を行うことを特徴とする水生生物生産方法。【００４５】
本発明によれば、水生生物の捕獲を行う捕獲セルに応じた本システムの制御により、生育する水生生物に悪影響を及ぼさない良好な海洋環境を維持することができる。【００４６】
（１７）  前記餌場エリアセル又は前記餌場セルは、セル内の海水及び汚染物の回収を可能にする回収機構を有し、前記回収機構における回収工程を行うことを特徴とする水生生物生産方法。【００４７】
本発明によれば、餌場エリアセル又は餌場セル内における回収機構（回収槽）により、汚染物の除去を可能とし、生育する水生生物に悪影響を及ぼさない良好な海洋環境を維持することができる。【００４８】
（１８）  前記ゲートは、海水の流入出が完全に遮断可能な密閉ゲート及び海水の流入出が可能な開放ゲートで構成され、前記開放ゲートの開閉によって、前記開放ゲートを通過する水生生物の峻別を可能とすることを特徴とする水生生物生産方法。【００４９】
本発明によれば、密閉ゲートと開放ゲートの二重断面構造を有するゲートを設け、開放ゲートを通過可能な水生生物のみを別領域に誘導・案内することでその峻別を可能としている。開放ゲートとしては、網目状のネットゲートの他、一定間隔を保ってガスを放出させたエアカーテンなど、完全密閉されていないものであれば適用可能である。
【発明の効果】
【００５０】
本発明の水生生物生産インフラシステム及び水生生物生産方法は、良好な海洋環境を創出して、海洋中で行われる光合成を利用した一次生産（基礎生産）から始まる食物連鎖を実現可能で、微小動物プランクトンや中・大型植食性動物プランクトンを生み出す二次生産、プランクトン食性魚類や肉食性動物プランクトンを生み出す三次生産及び魚食性魚類を生み出す四次生産という生物群集内での生物種間の自然淘汰の仕組みを利用した水生生物の生産活動を行うことで、海洋生態系の持続的保持を可能にすることができる。
【図面の簡単な説明】
【００５１】
【図１】本発明の実施の形態に係る水生生物生産インフラシステムの概略図である。
【図２】飼育運河のモデル図である。
【図３】飼育運河のモデル図である。
【図４】飼育運河のモデル図である。
【図５】飼育運河の底面及び側面の形状を示す図である。
【図６】餌場セルの詳細を示す図である。
【図７】捕獲エリアセル及び餌場エリアセルの詳細を示す図である。
【図８】給餌工程における本システムの状態を説明するための図である。
【図９】給餌工程における本システムの状態を説明するための図である。
【図１０】給餌工程における本システムの状態を説明するための図である。
【図１１】給餌工程における本システムの状態を説明するための図である。
【図１２】給餌工程における本システムの状態を説明するための図である。
【図１３】給餌工程における本システムの状態を説明するための図である。
【発明を実施するための形態】
【００５２】
以下、本発明の実施の形態について図面に基づいて説明する。
【００５３】
図１は、本発明の実施の形態に係る水生生物生産インフラシステムの概略図である。本システムは、自然界の海４９と隔離して形成された海洋環境を創出するものである。海底から地下に濾過海水取水井戸３を掘削し、ポンプ４を介して送水管５内を通し、地下海水（濾過海水）を本システム内に取り入れることができれば陸上のどのような位置であっても設置可能であり、沿岸地域は勿論のこと、沿岸から離れた地域であっても海水の輸送に必要なパイプラインとなる送水管５を整備し、ポンプ４の輸送圧力を高めることで適用可能である。また、本システムは、その動力源となる電気を火力、地熱、太陽光などを利用して発電可能な発電設備１を備えている。なお、図中の太黒線（四角状又は円弧状）は隣接する領域を区画する開閉可能なゲートを示している。
【００５４】
本システムのコントロールセンター２は、本システムの総合的な制御・指令・処理を司る管理システム、ゲートコントロール、照明管理システム、海水水質コントロ−ルシステム（酸素濃度・海水温度・栄養塩濃度等々）、水流調整システム等の各種機器やソフトウェア機能が搭載されている。具体的には、各処理管理（海水〜各種処理物）システム、各流入ゲートコントロール、各施設で発生する死亡原因の解析管理システム、各孵化プラントの生存率と数の解析管理システム、各施設の夜間照明システム、本流・ゲート・水路調整システム、餌流入時の音波種と強度の管理システム、各魚種別捕獲システム、各施設の魚種別飼育数管理システム、各孵化プラントの孵化率解析管理システム、プランクトン容積率解析管理システム、各施設の魚類別健康状態解析管理システム、本流水門の水量調整システム、各施設の平均温値解析管理システム、魚類別餌の捕食状況解析管理システム、水質（海水及び真水）解析管理システム、流入調整（飼育魚）解析管理システム、各地点の悪玉菌数解析管理システム、各地点の汚染度合解析管理システム、飼育本流への供給管理システム、魚種別品質管理システム、冷蔵・冷凍在庫管理システム、流入調整（餌）管理システム、解析状況管理システム、真水濃度管理システム、透明度数管理システム、酸素濃度管理システム、水温調整管理システム、塩分濃度管理システム、施設間の移動管理システム、ナノバブル濃度管理システム、捕獲状況管理システムなどのソフトウェア機能が搭載されている。
【００５５】
本システム全体で保有する海水量は標準的に１兆１３１３億５千万ｍ３であり、一般的なマグロ用海面養殖生け簀（２万ｍ３）に比べて５億６千万倍の規模であることから、海洋水産物全般を生産することができる産業基盤を提供するものである。なお、地球上の海洋面積は約３億６，１０６万ｋｍ２であり、海水総量は約１３億４，９９３万ｋｍ３であるから、本システム全体の海水量は地球規模に比して微々たるものに過ぎず、本システムは実現可能である。
【００５６】
［海水の汲み上げと貯留、供給工程］
濾過海水取水設備は、濾過海水取水井戸３からポンプ４を介して送水管５内を通過する濾過海水を本システム内に取り入れるものであり、利用する海水は、地下海水、海洋深層水、沿岸の一般海水などどれでもよいが、地下海水を利用すると種々のメリットがある。
地下海水は、年間を通して水温・塩分・ｐＨが安定していることから計画的な生産が実現でき、溶存酸素濃度が低いことから大腸菌・一般細菌数が皆無であり、当然病原性の細菌・ウイルスなどはそのほとんどが好気的であることから各セルへの混入の可能性はきわめて低い。また、嫌気性の細菌類は、本システムで用いる際に酸素を混入するために、ほとんどが活動を停止するか死亡する。もちろん、地下海水以外の一般海水を利用する場合には、適宜の海水調整手段によって、海水の細菌類や汚染物が除去され、適度な栄養塩の濃度となるよう海水が濾過（調整）されるし、海洋深層水を利用する場合には、清浄である反面低温であるから、地熱等によって２０度前後に昇温される。本システムでは、地下水（淡水）井戸汲み上げ装置２４Ａ，２４Ｂが設けられ、汲み上げられた地下水（淡水）を地下水分離舛２５ａ，２５ｂ，２５ｃ，２５ｄを介して飼育運河２９Ａ，２９Ｂ，２９Ｃ，２９Ｄ，２９Ｅに供給可能としている。
【００５７】
濾過海水は、本システム内にある複数の取水セル６Ａ，６Ｂ，６Ｃに貯留される。複数の取水セル６Ａ，６Ｂ，６Ｃは送水管５とゲートを介して接続されており、図１では複数の取水セル６Ａ−６Ｂ−６Ｃが濾過海水分配水路６ａ及び６ｂによって直列的に接続されているが、複数の取水セル６Ａ，６Ｂ，６Ｃが濾過海水分配水路によって並列的に接続されてもよい。取水セル６Ａ，６Ｂ，６Ｃ内の濾過海水は水温や溶存酸素量等の水質がモニタリングされており、水生生物に適切な水質となる濾過海水の状態となるよう調整され、必要に応じて酸素リッチとした濾過海水を本システム内に供給することができる。酸素リッチとするには、微細気泡発生装置によるナノバブルと、酸素溶解塔を用いた溶存酸素量を増加する技術を適用可能である。
【００５８】
［海水の循環利用と放水］
利用する海水は、本システムを操業する中で発生する汚染源物質を除去することで閉鎖的に循環利用することも可能であるが、汚染源物質を除去して清浄な海水状態としてから自然界に放水することも可能である。海水処理施設４６は、利用された濾過海水を排水路４７内を通過させて海面５０に放水するための放水処理を行うものであり、各汚水海水・沈殿物処理施設３５Ａ，３５Ｂ，３５Ｃ，３５Ｄ，３５Ｅと排水路（図示せず）によって直列的又は並列的に接続されて、各汚水海水・沈殿物処理施設３５Ａ乃至３５Ｅによって処理された排水が海水処理施設４６を介して海面５０に放水される。
【００５９】
［遊泳する水生生物の生産（成長）］
水生生物の育成は、育成環境を提供する飼育運河２９Ａ，２９Ｂ，２９Ｃ，２９Ｄ，２９Ｅで行われる。飼育運河２９Ａ乃至２９Ｅの１基分は３００万ｍ３〜２，２５０万ｍ３であり、一般的な陸上養殖装置の水槽（１０ｍ３〜１００ｍ３）や海面養殖の生け簀（１，０００ｍ３〜２万ｍ３）に比べて１５０〜１，０００倍以上の規模である。飼育運河２９Ａ乃至２９Ｅの水深１０〜３０ｍ及び幅１００ｍ〜３００ｍに比し体長２．５ｍのマグロは微小なものに過ぎず、本システムは、養鶏場のような過密状態の飼育養殖ではなく、生育に適切な環境で放し飼いされた地鶏のように、清浄な沿岸海域や沖合海域で育つ水生生物を育成できる海洋環境を提供している。
【００６０】
飼育運河２９Ｂ乃至２９Ｅには、海藻の森３３ａ，３３ｂ，３３ｃ，３３ｄが各々設けられており、昆布やワカメ類の海藻を育てることも行えるが、必要に応じて、海水中の有機物を分解し、栄養塩や炭酸ガスを吸収し、酸素を供給するなど海水の浄化にも役立たせることが可能な海藻や海草を生育させる。また、飼育運河２９Ａ乃至２９Ｅの壁面の近傍には、背丈のある海藻や海草を繁殖させたり、人工的な衝突緩衝材を設置することで、マグロ類の高速で遊泳する魚類の衝突を防止する。
【００６１】
本システム内で生産する水生生物の対象は魚類に限定されず、エビ・カニ・貝類等、飼育運河２９Ａ乃至２９Ｅの環境で共生が可能な生物であれば共に飼育する。遊泳をしない生物は、適切な量を運河内水中ネットコンテナ５４に収納し、海水の循環がスムーズに行われる環境下で成長させる。この際、本システム内に育成するプランクトン類を制御することで、貝毒などの発生を防ぐことが可能である。また、本システムの規模によれば、水生生物の排泄物による水質汚染の影響を低減でき、飼育運河２９Ａ乃至２９Ｅで生息する生物（微生物、プランクトン、貝類等）による浄化力によって、十分に清浄性を維持することができる。
【００６２】
［遊泳する水生生物への給餌、給餌工程］
本システムは、システム内の海水を汚染する可能性の高い水生生物への給餌を専用のセル内で行うこととし、餌場セル２６Ａ，２６Ｂ及び餌場エリアセル２７ａ，２７ｂを有する。餌場セル２６Ａは、飼育運河２９Ａ，２９Ｂ，２９Ｆとゲートを介して接続され、飼育運河２９Ａ，２９Ｆに生育する水生生物に対する給餌を行う。餌場セル２６Ｂは、飼育運河２９Ｂ，２９Ｃとゲートを介して接続され、飼育運河２９Ｂに生育する水生生物に対する給餌を行う。餌場エリアセル２７ａは、飼育運河２９Ｃ，２９Ｄとゲートを介して接続され、飼育運河２９Ｃに生育する水生生物に対する給餌を行う。餌場エリアセル２７ｂは、飼育運河２９ＤＦ，２９Ｄ，２９Ｅとゲートを介して接続され、飼育運河２９Ｄ，２９Ｆに生育する水生生物に対する給餌を行う。
【００６３】
給餌専用のセルを設けることで、餌の食べ残し等の影響によって隣接する飼育運河内の汚染が抑えられ、飼育運河内の清浄性を維持しやすくしている。これにより、飼育運河に育正されている他の水生生物の生育環境も安定して維持しやすく、適切な生産環境が整うことになる。また、汚染原因とならないような餌の選定の必要もない。
【００６４】
［水生生物の餌の調達、給餌工程］
魚類の餌は、飼育費用のうち約半分を占めるといわれている。本システムは、魚類の餌として、種々の効果・特長を持つ人工飼料を人工飼料備蓄庫５２に保管して利用することもできるが、基本的には本来自然界で食する生の活きた餌を食べさせることができるように、活餌飼育場１８Ａ，１８Ｂ，１８Ｃ，１８Ｄを有している。活餌飼育場１８Ａ乃至１８Ｄから餌場セル２６Ａ，２６Ｂ及び餌場エリアセル２７ａ，２７ｂへの活餌の移動は、活餌分配槽１８ａ，１８ｂ，１８ｃ，１８ｄを介して活魚移動水路２２ａ，２２ｂ，２２ｃ，２２ｄ，２２ｅ，２２ｆ，２２ｇ，２２ｈ，２２ｉ，２２ｊを通過することで行われる。活餌としての小魚やエビ類その他の小生物、植物プランクトン及び動物プランクトンは、捕獲天然魚海面生け簀２０から天然活魚供給水路２０ａを通じて餌用天然魚保管槽１９に保管されたものを用いてもよく、環境セル１１で種苗されて各活餌飼育場１８Ａ乃至１８Ｄに供給されたものを用いてもよい。
【００６５】
［水生生物の捕獲、捕獲工程］
出荷できる状態となった水生生物のうち遊泳するものは、飼育運河２９Ｃ，２９Ｄ，２９Ｅ，２９Ｆ内から捕獲エリアセル２７Ａ，２７Ｂ及び捕獲セル２８に移動させて捕獲し、冷蔵冷凍庫５３で冷蔵又は冷凍されて製品としての出荷準備をする。すなわち、出荷する水生生物を予め飼育運河２９Ｃ，２９Ｄ，２９Ｅ，２９Ｆに誘導して捕獲エリアセル２７Ａ，２７Ｂ及び捕獲セル２８で捕獲することで、必要とされない種類やサイズの水生生物の乱獲を避け、製品としての歩留りを上げることが可能になるとともに、捕獲専用のセルを利用することで捕獲に伴う海水の汚染を軽減することができる。同時に、捕獲専用のスペースを設けることで、より容易に、あるいは製品にダメージの少ない捕獲方法をとることができ、ついては、製品の商品価値を落とさずに利益率を上げることにもつながる。さらには、飼育運河内の生育に適した環境の維持にも貢献するものである。
【００６６】
［孵化センター、種苗工程］
本システムは、水生生物の種苗を行う複数の環境セル１１を有しており、産卵・孵化が可能な海洋環境を創出してその稚魚を得ることができる。稚魚の成長に際して必要となる植物プランクトンや動物プランクトン等は飼育運河以外で確保し、適宜必要に応じて海水と一緒に提供する。環境セル１１は、干潟槽１７、藻場槽１５，１６、海藻の森セル１２、孵化センター１３，１４から構成され、沿岸海域の環境を再現して種々の水生生物の産卵や稚魚生育を可能とする。
【００６７】
［非常事態の対策］
本システム内において水質異常等が発生した場合、飼育している水生生物にダメージを与える事態に及ぶことがある。そのダメージを未然に或いは最小限に抑えるために、システム各所に設置されたセンサーが水質変化（水温、栄養塩濃度、光強度、溶存酸素量等）を常時モニタリングしており、その数値が設定された危険数値を超えた場合には、問題となる領域に遊泳する水生生物を隣接する餌場セルや飼育運河等に移動させる。この際、行き止まりとなって逃げ場がなくならないよう、餌場セル及び飼育運河等は必ず２つ以上の開閉可能なゲートを有し、このゲートの開閉によって接続及び隔絶を行う。また、避難の際には、その移動をスムーズに行う補助として集魚光装置等を利用してもよい。具体的には、飼育運河内の環境が水生生物の生存環境に不適切となることがセンサーによって検知された場合は、隣接する餌場セルや別の飼育運河への移動を自動的又は手動で行い、その被害の拡大を防止する。ゲートの開閉は自動的又は手動で行い、集魚光装置等による点灯・点滅によって効果的に移動を進めることで、遊泳する水生生物には一切接触することなく移動を行うことができる。
【００６８】
図２乃至図４は、飼育運河２９Ａ乃至２９Ｅのモデル図であり、図２は基本モデル、図３は底面が砂地モデル、図４は砂地に海藻・海草を生育したモデルである。飼育運河の両側面は、運河内水中ネットコンテナ５４が配置され、また水中内を照射したり集魚光装置としても機能する照明が設置される。
【００６９】
［飼育運河の流れ工程１］
図５は、飼育運河２９Ｂ，２９Ｃの形状を示す図であり、（ａ）は平面から見た図、（ｂ）乃至（ｄ）は側面を見た断面図である。飼育運河２９Ｂ，２９Ｃの側面は、幅員が増減した凹凸を呈しており、それに連関して底面までの深さも増減した凹凸を呈している。よって、底面及び幅員が標準よりも増加している領域では緩い流速となり、底面及び幅員が標準よりも減少している領域では速い流速となることから、流路の断面積の変化によって様々な海洋環境を実現することができる。また、飼育運河２９Ａ，２９Ｂ，２９Ｃの海水は、餌場セル２６Ａ，２６Ｂ及び捕獲エリアセル２７Ａ，餌場エリアセル２７ａを開閉する運河用調整ゲート４３Ａ，４３Ｂ，４３Ｃ，４３Ｄ，４３Ｅ，４３Ｆ，４３Ｇ，４３Ｈの開閉状態による水位の変化によって、その流れを変化させることができる。各々の運河用調整ゲートは、海水の流入出が完全に遮断可能な密閉ゲート４３Ａ１，４３Ｂ１，４３Ｃ１，４３Ｄ１，４３Ｅ１，４３Ｆ１，４３Ｇ１，４３Ｈ１と、海水の流入出が可能な開放ゲート４３Ａ２，４３Ｂ２，４３Ｃ２，４３Ｄ２，４３Ｅ２，４３Ｆ２，４３Ｇ２，４３Ｈ２と、で構成されている。
【００７０】
［飼育運河の流れ工程２］
図５（ｂ）では、全ての密閉ゲート４３Ａ１乃至４３Ｈ１が開いていることから、各飼育運河２９Ａ，２９Ｂ，２９Ｃの水位は均一の状態にある。図５（ｃ）では、海水を飼育運河２９Ａと餌場セル２６Ａに供給している段階で飼育運河２９Ｂに位置する密閉ゲート４３Ｂ１を閉じることで、密閉ゲート４３Ｂ１より上流側の水位が上昇する。この状況で、密閉ゲート４３Ｂ１を開けば、下流の低水位側に海水が自然に移動することから、飼育運河に海水の流れを作り出すことができ、その流路の断面積の変化により流速に変化も生ずる。図５（ｄ）では、海水を飼育運河２９Ｂと餌場セル２６Ｂに供給している段階で飼育運河２９Ｂに位置する密閉ゲート４３Ｂ１及び飼育運河２９Ｃに位置する密閉ゲート４３Ｄ１を閉じることで、密閉ゲート４３Ｂ１−４３Ｄ１間の水位が上昇する。この状況で、密閉ゲート４３Ｄ１を開けば、下流の低水位側に海水が自然に移動することから、飼育運河に海水の流れを作り出すことができ、その流路の断面積の変化により流速に変化も生ずる。このように、密閉ゲートを閉めて閉鎖状態となったセルの水位を上げた後、隣接する水位の異なるセルに位置する密閉ゲートを開くことで、高水位側から低水位側のセルに海水が自然に移動する現象を利用している。
【００７１】
［飼育運河の流れ工程３］
密閉ゲートを開放して開放ゲートを閉鎖している図５（ｂ）の例では、飼育運河２９Ａ〜２９Ｄに亘る海水の流れを可能としている。この開放ゲートを適宜調整することにより、開放ゲートを通過する水生生物の峻別を可能とする。
【００７２】
［餌場セル、給餌工程］
図６は、餌場セル２６Ａ，２６Ｂのうち特に餌場セル２６Ａ及びその近傍の詳細を示す図であり、（ａ）は平面から見た図、（ｂ）は側面から見た断面図である。図７は、餌場セル２７ｂと捕獲エリアセル２７Ｂの詳細を示す図であり、（ａ）は平面図から見た図、（ｂ）は側面から見た断面図である。
【００７３】
餌場セル２６Ａは、隣接する飼育運河２９Ａ，２９Ｂと連結されており、上下方向に移動して開閉可能な運河用調整ゲート４３Ａ，４３Ｂによって飼育運河と餌場セルとの接続及び隔絶を行う。その他、餌場セル２６Ａは、濾過海水供給水路７ｃ及び餌用活魚供給水路２３ａとゲートを介して結合されている。本システムの海水の清浄性を維持するため、餌場セル２６Ａ内の清浄化機構として、餌場セル２６Ａの下部には沈殿物回収管３４ａ１〜３４ａ８が設けられ、回収管内の沈殿物は餌場セル２６Ａの中央に位置する汚水海水・沈殿物回収槽３４Ａで回収され、地下カルバート３６ａを介して接続された汚水海水・沈殿物処理施設３５Ａで処理される。汚水海水・沈殿物処理施設３５Ａでは微生物培養・混入装置３９ａによって微生物が投入される。
【００７４】
汚水海水・沈殿物処理施設３５Ａでは、沈殿物回収管３４ａ１〜３４ａ８によって回収された魚類から剥離した鱗や糞、残餌等の汚染物が除去され、海水中に溶解しているアンモニア等の毒性物質が微生物の働きによって亜硫酸を経て毒性の低い硝酸にまで酸化される。その他、殺菌を目的とした紫外線照射やオゾン処理、硫酸成分を除去する脱窒処理、有機物を除去する泡沫分離処理等が必要に応じて行なわれる。沈殿物回収管３４ａ１〜３４ａ８では汚染物が適宜海水と一緒に回収され、固形物として分離されたものは、再度餌として利用したり、プランクトンや他の微生物や餌となる虫類、干潟等の栄養源として再利用される。
【００７５】
餌場セル２６Ａに隣接する飼育運河２９Ａとは運河用調整ゲート４３Ａを介して結合されており、結合付近には遊泳する魚類等を運河用調整ゲート４３Ａに案内する誘導水路壁３０ａが設けられるとともに、誘導水路壁３０ａの先端付近には集魚光装置３２Ａが設けられる。また、餌場セル２６Ａに隣接する飼育運河２９Ｂとは運河用調整ゲート４３Ｂを介して結合されており、結合付近には魚類等を運河用調整ゲート４３Ｂへと案内する誘導水路壁３１ａが設けられる。
【００７６】
［餌場エリアセル・捕獲エリアセル、給餌工程・捕獲工程］
図７は、給餌及び捕獲を行う処理セルの一例として、特に捕獲エリアセル２７Ｂ及び餌場エリアセル２７ｂとそれらの近傍の詳細を示す図であり、（ａ）は平面から見た図、（ｂ）は側面から見た断面図である。
【００７７】
同心円状の処理セルは、その外周に捕獲エリアセル２７Ｂが、その内周に餌場エリアセル２７ｂが設けられる。餌場エリアセル２７ｂと捕獲エリアセル２７Ｂとは上下方向に移動して開閉可能な運河用調整ゲート４３Ｊ，４３Ｌによって接続及び隔絶を行い、捕獲エリアセル２７Ｂと隣接する飼育運河２９Ｄ，２９Ｅとは上下方向に移動して開閉可能な運河用調整ゲート４３Ｉ，４３Ｋによって接続及び隔絶を行う。また、内周の餌場エリアセル２７ｂと離間された飼育運河２９Ｄ，２９Ｅとの接続は、介在する捕獲エリアセル２７Ｂを連通させることで行い、その際には遊泳する魚類を確実に餌場エリアセル２７ｂ内に誘導するために、運河用調整ゲート４３Ｉ，４３Ｊ，４３Ｌ，４３Ｋを開放するとともに、運河用調整ゲート４４ｅ，４４ｆ，４４ｇ，４４ｈを閉鎖する。
【００７８】
その他、捕獲エリアセル２７Ｂは、濾過海水供給水路７ｆ及び餌用活魚供給水路２３ｄとゲートを介して結合されている。本システムの海水の清浄性を維持するため、餌場エリアセル２７ｂ内の清浄化機構として、餌場エリアセル２７ｂの下部には沈殿物回収管３４ｄ１〜３４ｄ８が設けられ、回収管内の沈殿物は餌場エリアセル２７ｂの中央に位置する汚水海水・沈殿物回収槽３４Ｄで回収され、地下カルバート３６ｄを介して接続された汚水海水・沈殿物処理施設３５Ｄで処理される。汚水海水・沈殿物処理施設３５Ｄでは微生物培養・混入装置３９ｄによって微生物が投入される。汚水海水・沈殿物処理施設３５Ｄの機能は３５Ａと同様である。
【００７９】
捕獲エリアセル２７Ｂに隣接する飼育運河２９Ｄとは運河用調整ゲート４３Ｉを介して結合されており、結合付近には遊泳する魚類等を運河用調整ゲート４３Ｉに案内する誘導水路壁３０ｄが設けられるとともに、誘導水路壁３０ｄの先端付近には集魚光装置３２Ｄが設けられる。また、捕獲エリアセル２７Ｂに隣接する飼育運河２９Ｅとは運河用調整ゲート４３Ｋを介して結合されており、結合付近には魚類等を運河用調整ゲート４３Ｋへと案内する誘導水路壁３１ｄが設けられる。
【００８０】
［水生生物の捕獲、捕獲工程］
本システムにおける水生生物の捕獲は、捕獲エリアセル２７Ａ，２７Ｂ又は捕獲セル２８で行う。ここでは、捕獲エリアセル２７Ｂで捕獲する例について図７を参照しつつ説明する。
【００８１】
まず、捕獲対象となる遊泳する水生生物は、給餌や集魚光等により捕獲エリア２７Ｂへ移動するように仕向ける。捕獲エリア２７Ｂに水生生物が入り込んだことを目視又はセンサー等で確認できたところで、隣接する飼育運河２９Ｄと隔絶するために運河調整用ゲート４３Ｉを閉鎖する。このとき、運河調整用ゲート４３Ｊ，４３Ｌ以外のゲートは全て閉鎖状態にある。
【００８２】
捕獲エリア２７Ｂに入り込んだ水生生物のうち、まだ成長が十分でなく捕獲に適さないものは、更に内側の餌場エリアセル２７ｂに給餌や集魚光等により誘い込まれる。このとき、運河用調整ゲート４３Ｊ，４３Ｌには、網目状のネットゲートが設置されており、製品サイズの水生生物には通過できない網目となっている。これにより製品サイズの捕獲対象は餌場エリアセル２７ｂには入り込めず、捕獲エリアセル２７Ｂ内を遊泳し続けるようになる。
【００８３】
捕獲対象ではない製品レベル以下の水生生物が餌場エリアセル２７ｂに入ったことが確認できたところで、運河用調整ゲート４３Ｊ，４３Ｌを閉鎖する。これにより。捕獲対象となる水生生物のみが捕獲エリアセル２７Ｂ内を遊泳している状態ができることから、捕獲エリアセル２７Ｂ内の海水を適量抜き取り、海水量が捕獲に適する量となった後、電気ショックで仮死状態としたり、網でのすくい上げ、釣り上げ等の水生生物にあった捕獲方法で捕獲する。
【００８４】
［水生生物の給餌、給餌工程］
図８乃至図１３は、給餌工程における本システムの状態を説明するための図であり、図８は餌供給前、図９は餌供給、図１０はゲート開放、図１１は捕食、図１２は魚類を運河に移動、図１３は餌場エリアセル洗浄の各状態を示している。なお、以下では餌場エリアセル２７ｂを例に説明するが、餌場エリアセル２７ａでも同じであり、餌場セル２６Ａ，２６Ｂでも基本的な工程は同じである。また、運河用調整ゲート４３Ｉ，４３Ｊ，４３Ｌ，４３Ｋを密閉ゲートとして、それらに附属する４３ｉ，４３ｊ，４３ｌ，４３ｋを網目状のネットゲートとして用いている。
【００８５】
図８において、餌供給前は、濾過海水供給用ゲート４０ｎ及び運河用調整ゲート４３Ｉ，４３Ｊ，４３Ｌ，４３Ｋ，４４ｅ，４４ｆ，４４ｇ，４４ｈは完全に閉鎖、回収ゲート３４ｄ１−１〜３４ｄ１−８は完全に開放されており、濾過海水取水セル６Ｂからの濾過海水が飼育運河２９Ｄ，２９Ｅに供給されている状態である。また、各運河用調整ゲート４３Ｉ，４３Ｊ，４３Ｌ，４３Ｋに附属する網目状のネットゲート４３ｉ，４３ｊ，４３ｌ，４３ｋは閉鎖されている。よって、水生生物は飼育運河２９Ｄ内だけを遊泳し、ネットゲート４３ｉを通過することができない。
【００８６】
図９において、餌供給の工程では、餌場エリアセル２７ｂ内に活餌飼育場１８Ｄからの活餌や人工飼料備蓄庫５２からの飼料が投入される。このときも基本的には餌供給前と各ゲートの状態は同じであるから、飼育運河２９Ｄ内を遊泳する水生生物はネットゲート４３ｉを通過することができない。なお、この際、濾過海水供給用ゲート４０ｎは開放していても閉鎖していてもよい。
【００８７】
図１０において、ゲート開放の工程では、濾過海水供給用ゲート４０ｎを閉鎖し、ネットゲート４３ｉ，４３ｊを開放して、飼育運河２９Ｄ内を遊泳する水生生物を餌場エリアセル２７ｂ内に導く。なお、餌場エリアセル２７ｂ内の水生生物はネットゲート４３ｌ，４３ｋによって進行を阻害され、飼育運河２９Ｅに入り込むことができない。
【００８８】
図１１において、捕食工程では、運河用調整ゲート４３Ｊ，４３Ｌ，４３Ｋを完全に閉鎖することで飼育運河２９Ｄ，２９Ｅへの餌等の流入を防ぐ。この際、活餌や飼料の投入は止める。
【００８９】
図１２において、魚類を飼育運河に移動させる工程では、運河用調整ゲート４３Ｊを開放し、集魚光装置３２Ｄを点灯して魚類を飼育運河２９Ｄへと導く。また、回収ゲート３４ｄ１−１〜３４ｄ１−８を開放して海水とともに餌や糞等の汚染物を沈殿物回収管３４ｄ１〜３４ｄ８で回収する（回収工程）。さらに、魚類の移動に合わせて、運河用調整ゲート４３Ｊ，４３Ｉを徐々に閉鎖していくことで、汚染物の飼育運河２９Ｄ内への流入をできるだけ抑える。なお、飼育運河２９Ｄ内へと流入した汚染物は、誘導水路壁３０ｄの距離内で緩和させる。餌場エリアセル２７ｂ及び捕獲エリアセル２７Ｂの合計水量が所定基準値となったら、運河用調整ゲート４３Ｊ，４３Ｉを完全に閉鎖する。
【００９０】
図１３において、餌場エリアセル洗浄工程では、餌場エリアセル２７ｂ及び捕獲エリアセル２７Ｂ内の海水が全て沈殿物回収管３４ｄ１〜３４ｄ８を通じて汚水海水・沈殿物回収槽３４Ｄに回収される。濾過海水供給用ゲート４０ｎを開放して新鮮な濾過海水を注入して餌場エリアセル２７ｂ及び捕獲エリアセル２７Ｂを洗浄する。洗浄完了後、運河用調整ゲート４３Ｉ，４３Ｊ，４３Ｌ，４３Ｋを開放して、図８の状態に復帰する。
【産業上の利用可能性】
【００９１】
以上、本システムによれば、近年普及している閉鎖式陸上養殖のような異常な過密環境で養殖するシステムと違い、生物にとってより自然に近い環境で育成させることが可能となる。育成環境（水質、水温、水流等）を人工的に制御できることから、海面養殖のように設置地域により対象魚種に制約が生じることもなく、四季による水温等の影響も受けることなく、効果的な環境下での水生生物の育成が可能となる。また、巨大な容積を持つ本システムによれば、複数の水生生物を同時に育てることが可能となり、一つの企業が多角的に水生生物を育てたり、複数の漁業関係者がコンソーシアムを形成して異なる水生生物の生産を行うことが可能となる。【００９２】
また、漁業関係者にとっても、多数の漁船を必要とせず、天候・気候の影響を受けない経営の安定化を実現することができ、悪天候下における苛酷な労働を必要とせず、来るべき高齢化社会において就業の可能性を広げる社会貢献性の高い事業となる。特に、陸上に海洋環境を創出することは、体力の落ちた高齢者にとっても安全な労働環境を提供する意味でも、将来の日本にとって高齢化社会に適した産業インフラとしても産業上有用である。
【符号の説明】
【００９３】
１    発電設備
２    コントロールセンター
３    濾過海水取水井戸
４    ポンプ
５    送水管
６Ａ，６Ｂ，６Ｃ    濾過海水取水セル
６ａ,６ｂ    濾過海水分配水路
７ａ，７ｂ，７ｃ，７ｄ，７ｅ,７ｆ，７ｇ，７ｈ    濾過海水供給水路
１１    環境セル
１２    海藻の森セル
１３，１４    孵化センター
１５，１６    藻場槽
１７    干潟
１８Ａ，１８Ｂ，１８Ｃ，１８Ｄ    活餌飼育場
１８ａ，１８ｂ，１８ｃ，１８ｄ    活餌分配槽
１９    餌用天然魚保管槽
２０    捕獲天然魚海面生け簀
２０ａ  天然活魚供給水路
２２ａ〜２２ｋ    活魚移動水路
２３ａ，２３ｂ，２３ｃ，２３ｄ    餌用活魚供給水路
２４Ａ，２４Ｂ    地下水（淡水）井戸汲み上げ装置
２５ａ，２５ｂ，２５ｃ，２５ｄ    地下水分離舛
２６Ａ，２６Ｂ    餌場セル
２７Ａ，２７Ｂ    捕獲エリアセル
２７ａ，２７ｂ    餌場エリアセル
２８    捕獲セル
２９Ａ，２９Ｂ，２９Ｃ，２９Ｄ，２９Ｅ，２９Ｆ    飼育運河
３０ａ，３０ｂ，３０ｃ，３０ｄ，３０ｅ    魚誘導路壁
３１ａ，３１ｂ，３１ｃ，３１ｄ，３１ｅ    魚誘導水路壁
３３ａ，３３ｂ，３３ｃ，３３ｄ    海藻の森
３４Ａ，３４Ｂ，３４Ｃ，３４Ｄ，３４Ｅ    汚水海水・沈殿物回収槽
３５Ａ，３５Ｂ，３５Ｃ，３５Ｄ，３５Ｅ    汚水海水・沈殿物処理装置
３９ａ，３９ｂ，３９ｃ，３９ｄ，３９ｅ    微生物培養・混入装置
４３Ａ〜４３Ｍ，４４ｅ，４４ｆ，４４ｇ，４４ｈ    運河用調整ゲート
４３Ａ１〜４３Ｈ１    密閉ゲート
４３Ａ２〜４３Ｈ２，４３ａ〜４３ｍ    開放ゲート（ネットゲート）
４６    運河海水処理施設
４７    排水路
４９    海
５０    海面
【図１】
2017199927.tif 000003
【図２】
2017199927.tif 000004
【図３】
2017199927.tif 000005
【図４】
2017199927.tif 000006
【図５】
2017199927.tif 000007
【図６】
2017199927.tif 000008
【図７】
2017199927.tif 000009
【図８】
2017199927.tif 000010
【図９】
2017199927.tif 000011
【図１０】
2017199927.tif 000012
【図１１】
2017199927.tif 000013
【図１２】
2017199927.tif 000014
【図１３】
2017199927.tif 000015
【国際調査報告】
2017199927.tif 000016
2017199927.tif 000017
2017199927.tif 000018
2017199927.tif 000019